(57)【要約】 【課題】集水器に溜まる落葉除去等のメンテナンス時の作業が容易に行なえる雨樋構造の技術を提供する。【解決手段】集水器３２は雨水を集める集水部３５と雨水を継手部材３３に導く第１のエルボ部３６とからなり、集水部３５の底部３５ａの中心領域３５ｂに設けられる雨水の落し口部３７にフレキシブルホース３８を備える。継手部材３３の一端部３３ａは竪樋３４と第２のエルボ部３９を介して回転自在に連結されるとともに他端部３３ｂは第１のエルボ部３６の一端部３６ａに連結される。第１のエルボ部３６の他端部３６ｂが集水部３５の底部３５ａにフレキシブルホース３８を包含して着脱自在に連結される。  底部３５ａの２段底を囲む一対の長い方の側面には凸部Ｓがそれぞれ２個形成され、第１のエルボ部３６の他端部３６ｂの内側面には凹部Ｔが形成され、この凹凸部Ｔ、Ｓを介して他端部３６ｂと底部３５ａが着脱自在に連結される。【選択図】  図２
2007085103.tif 000002
【特許請求の範囲】
【請求項１】
集水器から継手部材を介して竪樋に至る雨樋構造であって、
前記集水器は雨水を集める集水部と雨水を前記継手部材に導く第１のエルボ部とからなり、前記集水部の底部の中心領域に雨水の落し口部を設けるとともにこの落し口部にフレキシブルホースを備え、前記継手部材の一端部は前記竪樋と第２のエルボ部を介して回転自在に連結されるとともに他端部は前記第１のエルボ部の一端部に連結され、第１のエルボ部の他端部が前記集水部の底部に前記フレキシブルホースを包含して着脱自在に連結されることを特徴とする雨樋構造。
【請求項２】
請求項１に記載の雨樋構造であって、前記第１のエルボ部の他端部と前記集水部の底部は互いに形成される凹凸部を介して着脱自在に連結されることを特徴とする雨樋構造。
【発明の詳細な説明】
【技術分野】
【０００１】
本発明は、集水器の雨樋構造に関し、集水器に溜まる落葉除去等のメンテナンス時の作業が容易に行える雨樋構造の技術に関する。
【背景技術】
【０００２】
従来、軒樋の集水器が落ち葉等の異物によって詰まった場合に、雨水が排水できなくなり集水器から雨水が溢れてしまうことがあった。
【０００３】
このため、異物を集水器から除去するために軒先の高い位置まで上がり、異物除去を行う必要があるため作業が大変困難であるという問題があった。そして、集水器と竪樋が一体的の場合にはメンテナンスが至難であり、逆に集水器と竪樋を分割式とすると雨水が多量に流れると雨水が整流にならないため集水器と竪樋の間隙から雨水が溢れるという問題があった。
【０００４】
この問題を解決するために、例えば図７（ａ）、（ｂ）、図８に示すように、特許文献１には、軒樋１の底板２に形成された集水器１０の排水口２１を覆う軒樋１の前面板３に開口窓２５を形成し、この開口窓２５を塞ぐ開閉蓋６がスライド自在に設けてなる雨樋構造が開示されている。
【０００５】
ここで、開閉蓋６は、軒樋１の前面板３に沿ってスライドする蓋部７と、軒樋１の上部開口より前方へ突出させた開閉操作ハンドル８を有している。蓋部７は、その下端に軒樋１の底板前部に沿うよう略Ｌ字状に折曲された折曲片９を有し、軒樋１には、その折曲片９を開閉蓋６のスライド時にガイドするガイド部２２を設けている。
【０００６】
この集水器１０であれば、その排水口２１には軒樋１の前面板３に開口窓２５を塞ぐ開閉蓋６が形成されているので、軒先の低い位置から異物除去の作業をすることができるので、作業が容易にできる。
【特許文献１】特開２０００−１６０７７８号公報
【発明の開示】
【発明が解決しようとする課題】
【０００７】
ところが、上記特許文献１の構成では、前面板３に開口窓２５が形成されているので開閉蓋６の外観の見栄えが悪いので品質上問題があった。また、開閉蓋６に沿って雨水が溢れるという問題があった。そこで、本発明は、上記の事実に鑑みてなされたもので、その目的とするところは、軒先の低い位置で集水器に溜まる落葉除去等のメンテナンス時の作業が容易に行えて、雨水が溢れることのない雨樋構造の技術を提供する。
【課題を解決するための手段】
【０００８】
請求項１の発明は、集水器から継手部材を介して竪樋に至る雨樋構造であって、前記集水器は雨水を集める集水部と雨水を前記継手部材に導く第１のエルボ部とからなり、前記集水部の底部の中心領域に雨水の落し口部を設けるとともにこの落し口部にフレキシブルホースを備え、前記継手部材の一端部は前記竪樋と第２のエルボ部を介して回転自在に連結されるとともに他端部は前記第１のエルボ部の一端部に連結され、第１のエルボ部の他端部が前記集水部の底部に前記フレキシブルホースを包含して着脱自在に連結されることを特徴としている。
【０００９】
請求項２の発明は、請求項１に記載の雨樋構造であって、前記第１のエルボ部の他端部と前記集水部の底部は互いに形成される凹凸部を介して着脱自在に連結されることを特徴としている。    
【発明の効果】
【００１０】
請求項１記載の発明によれば、前記集水器は雨水を集める集水部と雨水を前記継手部材に導く第１のエルボ部とからなり、前記継手部材の一端部は前記竪樋と第２のエルボ部を介して回転自在に連結されるとともに他端部は前記第１のエルボ部の一端部に連結され、第１のエルボ部の他端部が前記集水部の底部に着脱自在に連結されるので、第１のエルボ部の他端部を前記集水部の底部から離脱させた状態で前記継手部材の一端部を第２のエルボ部を介して竪樋の周りに回転することができる。
【００１１】
このため、前記集水部の底部の中心領域に設けられる雨水の落し口部に備えたフレキシブルホースの自由端部から集水器に溜まる落葉除去等の除去作業を容易に行うことができる。また、落し口部に備えるフレキシブルホースによって雨水は第１のエルボ部のコーナー部を整流として流れて継手部材にスムーズに導くことができるので、第１のエルボ部の他端部と前記集水部の底部の連結部からの雨水のオーバーフローを防止することができる。
【００１２】
請求項２記載の発明によれば、前記第１のエルボ部の他端部と前記集水部の底部は互いに形成される凹凸部を介して着脱自在に連結されるので、前記第１のエルボ部を前記集水部から容易に着脱することができる。このため、前記集水部の底部のフレキシブルホースの自由端部から集水器に溜まる落葉除去等の除去作業を容易に行うことができる。
【発明を実施するための最良の形態】
【００１３】
＜雨樋構造の構成＞  
以下に、本発明の実施形態を〜図６に基づいて説明する。図１、図２、図３に示すように、本実施例の雨樋構造３１は、集水器３２から継手部材３３を介して竪樋３４に至る雨樋構造である。
【００１４】
集水器３２は雨水を集める集水部３５と雨水を継手部材３３に導く第１のエルボ部３６とからなり、集水部３５の底部３５ａの中心領域３５ｂに雨水の落し口部３７が設けられる。そして、この落し口部３７にフレキシブルホース３８が備えられる。
【００１５】
継手部材３３の一端部３３ａは竪樋３４と第２のエルボ部３９を介して回転自在に連結されるとともに他端部３３ｂは第１のエルボ部３６の一端部３６ａに連結される。そして、第１のエルボ部３６の他端部３６ｂが集水部３５の底部３５ａにフレキシブルホース３８を包含して着脱自在に連結される。
【００１６】
蛇腹状のフレキシブルホース３８は第１のエルボ部３６の曲がり形状に沿って配置されるが、その長さは自由端部３８ａが一端部６ａに対向する状態（自由端部３８ａと一端部６ａが略同軸Ｙになる状態）を確保できる最小長さで形成される。
【００１７】
ここで、集水部３５は蓋のない略直方体形状で、各側面Ｐ１、Ｐ２、Ｐ３、Ｐ４を一回り狭めた側面Ｑ１、Ｑ２、Ｑ３、Ｑ４を塞いで２段底形状の底部３５ａが形成され、一対の側面Ｐ３、Ｐ４にそれぞれ軒樋４７が挿入される。底部３５ａの一対の長い方の側面Ｑ１、Ｑ２の外面には凸部Ｓがそれぞれ２個形成され、断面略矩形形状の第１のエルボ部３６の他端部３６ｂの内面には凸部Ｓに対応する凹部Ｔが形成され、この凹凸部Ｔ、Ｓを介して他端部３６ｂと底部３５ａが着脱自在に連結される。
【００１８】
なお、図３は凹部Ｔが第１のエルボ部３６の他端部３６ｂの内面から外部に貫通して設けられている場合を表しているが、凹部Ｔを他端部３６ｂの外部まで至って設けるかどうかに関しては第１のエルボ部３６の板厚を考慮して決定される。
【００１９】
底部３５ａの側面Ｑ１、Ｑ２、Ｑ３、Ｑ４と第１のエルボ部３６の他端部３６ｂとの間には間隙があるので、雨水がフレキシブルホース３８内を流れる際に空気がこの間隙を経て集水器３２から逃げるので、大雨時でも雨水はスムーズに流れてオーバーフローすることがない。
【００２０】
このように、第１のエルボ部３６と他端部３６ｂ間は隙間なく接着する必要がなく、凹凸部Ｔ、Ｓを介しての容易に着脱自在な構造で問題ない。なお、継手部材３３と竪樋３４も断面矩形形状である。
【００２１】
図４、図５に示すように、第２のエルボ部３９はエルボ本体４１とソケット４２で構成される。エルボ本体４１は１０５度の開角度で形成され、継手部材３３に連結する第１の端部４３とソケット４２に回転自在に連結するための挿入部４４を備える。
【００２２】
第１の端部４３の挿入部４３ａは継手部材３３を挿入嵌合するために、継手部材３３の外形形状に対応する矩形形状に形成される。挿入部４４は円形短筒状で、その外周４４ａにループ状の係止突起４４ｂが傾斜４４ｃを備えて設けられる。
【００２３】
ソケット４２の上端部４２ａには円形リング４５を淵とする開口４５ａが設けられ、円形リング４５には円形リング４５に円弧状（長さＬ）に内接する係止突起４６を９０度毎に備える。ここで、ループ状の係止突起４４ｂの外直径と円形リング４５の内径は同じ長さである。
【００２４】
このため、ソケット４２の係止突起４６がループ状の係止突起４４ｂを乗り越えることで、エルボ本体４１がソケット４２に嵌合するとともに回転自在に連結される。ソケット４２の下端部は竪樋３４に挿入するために竪樋３４に対応した矩形形状に形成される。
【００２５】
係止突起４６と係止突起４４ｂは同じ突起高さに形成されるとともに、円弧状の係止突起４６の長さＬはエルボ本体４１がソケット４２に無理なく脱着及び嵌合できるように決められる。係止突起４４ｂの傾斜４４ｃはエルボ本体４１がソケット４２に容易に装着するためにできるだけ緩やかな傾斜が好ましい。そして、ソケット４２の下端部４２ｂに接着剤によって竪樋３４が固着される。
【００２６】
ここで、集水部３５と竪樋３４は図示しない固着具で建物に固着され、第１のエルボ部３６と継手部材３３と第２のエルボ部３９の総重量Ｗはそれぞれ集水部３５と竪樋３４によって受持たれることになる。
【００２７】
このため、上記凹凸部Ｔ、Ｓの詳細寸法は略Ｗ／２の重量を安定して保持できるように考慮し設計される。また、上記凹凸部Ｔ、Ｓが離脱した状態では竪樋３４は総重量Ｗを垂直に受持つとともに、エルボ本体４１に曲げモーメントも発生することになるので、この条件を勘案して上記係止突起４６と係止突起４４ｂの突起高さ及び円弧状の係止突起４６の長さＬは決めるのが好ましい。
【００２８】
集水器３２から継手部材３３を介して竪樋３４に至る雨樋構造３１の材質は、軽量化や耐腐食性を考慮して硬質塩化ビニール樹脂等の合成樹脂、或いは耐腐食性金属としてステンレス、銅等が用いられる。また、金属性芯材の周囲に樹脂を被覆した構成でもよい。フレキシブルホース３８は一般のホース等に使用される樹脂製、ゴム製が用いられる。
【００２９】
＜雨樋構造の作用＞
図６に示すように、集水部３５に溜まった落葉等を除去する際には、第１のエルボ部３６を下方（矢印Ｈ）に引き降ろすことによりそれぞれの凹凸部Ｔ、Ｓを離脱させて第１のエルボ部３６を集水部３５から離脱させる。そして、第１のエルボ部３６と継手部材３３を一体的に第２のエルボ部３９で回転させて矢印Ｋの方向にスイングさせる。
【００３０】
このとき、フレキシブルホース３８は柔らかく弾力的に変形可能なので、第１のエルボ部３６の離脱のための矢印Ｈ方向への引き降ろし代は落し口部３７を僅かに超える程度でもフレキシブルホース３８を超えて離脱することができる。
【００３１】
このため、第２のエルボ部３９に対する継手部材３３の上下方向の角度変化も僅かであるため、上記係止突起４６と係止突起４４ｂの嵌合状態に対する影響も最小限に抑えることができるので、ソケット４２の係止突起４６がループ状の係止突起４４ｂを乗り越えて離脱することはない
【００３２】
そして、上記第１のエルボ部３６と継手部材３３を一体的に第２のエルボ部３９で回転させて矢印Ｋの方向にスイングさせた状態で図示しない方法で建物側に仮固定した状態で、フレキシブルホース３８の中に手を挿入して集水部３５に溜まった落葉等を除去することができる。
【００３３】
なお、上記フレキシブルホース３８は第１のエルボ部３６の曲がり形状に沿って配置されるが、その長さは自由端部３８ａが一端部６ａに対向する状態（自由端部３８ａと一端部６ａが略同軸Ｙになる状態）を確保できる最小長さで形成されるので、フレキシブルホース３８に挿入した手は十分に集水部３５に到達できるが、長さが短いので棒状等の道具を用いて落葉等を除去することも容易に可能である。
【００３４】
落葉等の除去後は、上記と逆に、第１のエルボ部３６と継手部材３３を一体的に回転させて集水部３５に容易に嵌合できる。
【００３５】
この雨樋構造によれば機能、効果を高めることができるが、外観そのものはは従来構造と変わらないので、見栄えをそのまま維持できて品質性を変わらず維持することができる。
【００３６】
以上、本発明の実施形態を図面に基づいて説明したが、上記の実施例はいずれも本発明の一例を示したものであり、本発明はこれらに限定されるべきでないということは言うまでもない。例えば、底部３５ａの２段底を囲む一対の長い方の側面Ｑ１、Ｑ２の凸部Ｓをそれぞれ２個形成する代わりに連続した一個の長い凸部でもよい。さらに、一対の長い方の側面Ｑ１、Ｑ２に２個と一対の短い方の側面Ｑ３、Ｑ４にそれぞれ１個、或いは４側面Ｑ１、Ｑ２、Ｑ３、Ｑ４にそれぞれ１個設けてもよい。この凸部Ｓの配置に対応して第１のエルボ部３６の他端部３６ｂにおける内側面の凸部Ｔも形成される。
【図面の簡単な説明】
【００３７】
【図１】本発明の実施形態における、集水器３２から継手部材３３を介して竪樋３４に至る雨樋構造３１の状態を示す斜視図である。
【図２】本発明の実施形態における、第１のエルボ部３６の他端部３６ｂが集水部３５の底部３５ａにフレキシブルホース３８を包含して着脱自在に連結される状態を示す一部透視斜視図である。
【図３】本発明の実施形態における、図２のＡ−Ａ断面図である。
【図４】本発明の実施形態における、エルボ本体４１とソケット４２で構成される第２のエルボ部３９の一部透視側面図である。
【図５】本発明の実施形態における、図４のＢ−Ｂ断面図である。
【図６】本発明の実施形態における、集水部３５に溜まった落葉等を除去する際に、第１のエルボ部３６を集水部３５から離脱して第１のエルボ部３６と継手部材３３を一体的に第２のエルボ部３９で回転させる状態を示す斜視図である。
【図７】従来の、集水器１０に溜まった落葉等を除去するために軒樋１に取付けられた開口窓２５と開閉蓋６の状態を示す、（ａ）は平面図、（ｂ）は正面図である。
【図８】従来の、軒樋１に取付けられた開閉蓋６の構造を示す斜視図である。
【符号の説明】
【００３８】
３２  集水器
３３  継手部材
３３ａ  一端部
３３ｂ  他端部
３４  竪樋
３５  集水部
３５ａ  底部
３５ｂ  中心領域
３６  第１のエルボ部
３６ａ  一端部
３６ｂ  他端部
３７  落し口部
３８  フレキシブルホース
３９  第２のエルボ部
Ｓ  凸部
Ｔ  凹部
【図１】
2007085103.tif 000003
【図２】
2007085103.tif 000004
【図３】
2007085103.tif 000005
【図４】
2007085103.tif 000006
【図５】
2007085103.tif 000007
【図６】
2007085103.tif 000008
【図７】
2007085103.tif 000009
【図８】
2007085103.tif 000010